(57)【要約】  収納容器は、筐体に格納され、収納物が収納される収納部と、収納部を経由して筐体内に形成される循環風路で空気を循環させる送風機と、循環風路で送風機の下流側かつ収納部の上流側に配置され、収納物の脱臭を行う脱臭成分を生成する脱臭部と、循環風路で脱臭部の下流側かつ収納部の上流側に設けられ、少なくとも脱臭部に接続されたダクトと、を備える。
2020261414.tif 000002
【特許請求の範囲】
【請求項１】
筐体に格納され、収納物が収納される収納部と、
前記収納部を経由して前記筐体内に形成される循環風路で空気を循環させる送風機と、
前記循環風路で前記送風機の下流側かつ前記収納部の上流側に配置され、前記収納物の脱臭を行う脱臭成分を生成する脱臭部と、
前記循環風路で前記脱臭部の下流側かつ前記収納部の上流側に設けられ、少なくとも前記脱臭部に接続されたダクトと、
を備える収納容器。
【請求項２】
前記収納部には、前記収納物が収納される収納空間に前記空気を流入させる通風流入口と、前記収納空間から前記空気を流出させる通風流出口と、が形成されている請求項１に記載の収納容器。
【請求項３】
前記収納部は、前記筐体に着脱自在に格納されている請求項１又は請求項２に記載の収納容器。
【請求項４】
前記脱臭部は、前記脱臭成分として放電生成物を生成するように構成されている請求項１〜請求項３のいずれか一項に記載の収納容器。
【請求項５】
前記循環風路で前記収納部の下流側かつ前記送風機の上流側に配置されたフィルターをさらに備えている請求項１〜請求項４のいずれか一項に記載の収納容器。
【請求項６】
前記送風機、前記フィルター及び前記脱臭部は、一体に形成されているとともに、前記筐体に着脱自在に格納されている請求項５に記載の収納容器。
【請求項７】
前記フィルターは、前記空気に含まれるほこりを除去するとともにオゾンガスを分解するように構成されている請求項５又は請求項６に記載の収納容器。
【発明の詳細な説明】
【技術分野】
【０００１】
本発明は、脱臭部を備える収納容器に関するものである。
【背景技術】
【０００２】
特許文献１には、収納物を収納する収納容器が記載されている。この収納容器は、収納空間を規定するとともに第１貫通穴が設けられた第１壁部と、第１壁部の外部に離隔して配置され、第１貫通穴を介して収納空間内に導かれる放電生成物を生成するよう構成された放電機構と、を備えている。放電機構は、第１貫通穴に対応する第２貫通穴を有する接地電極と、接地電極を第１壁部とで挟む位置に配置された放電電極と、を備えている。放電生成物は、接地電極及び放電電極間の放電によって生成される。
【先行技術文献】
【特許文献】
【０００３】
【特許文献１】特許第６４４８８７４号公報
【発明の概要】
【発明が解決しようとする課題】
【０００４】
特許文献１のような収納容器においては、収納容器内での衣類の更なる脱臭性能の向上が望まれている。例えば、収納空間で生じたほこりが接地電極又は放電電極に付着した場合、放電の継続が困難になるおそれがある。このため、脱臭効果を長期間維持できない場合があるという課題があった。【０００５】
本発明は、上述のような課題を解決するためになされたものであり、脱臭効果を長期間維持できる収納容器を提供することを目的とする。
【課題を解決するための手段】
【０００６】
本発明に係る収納容器は、筐体に格納され、収納物が収納される収納部と、前記収納部を経由して前記筐体内に形成される循環風路で空気を循環させる送風機と、前記循環風路で前記送風機の下流側かつ前記収納部の上流側に配置され、前記収納物の脱臭を行う脱臭成分を生成する脱臭部と、前記循環風路で前記脱臭部の下流側かつ前記収納部の上流側に設けられ、少なくとも前記脱臭部に接続されたダクトと、を備える。
【発明の効果】
【０００７】
本発明によれば、脱臭効果を長期間維持することができる。
【図面の簡単な説明】
【０００８】
【図１】本発明の実施の形態１に係るランドリーバスケットの構成を示す斜視図である。
【図２】本発明の実施の形態１に係るランドリーバスケットの構成を示す上面図である。
【図３】図２のＩＩＩ−ＩＩＩ断面を示す断面図である。
【図４】図３のＩＶ−ＩＶ断面を示す断面図である。
【図５】本発明の実施の形態１の変形例に係るランドリーバスケットの構成を示す斜視図である。
【図６】本発明の実施の形態２に係るランドリーバスケットの構成を示す断面図である。
【図７】本発明の実施の形態２に係るランドリーバスケットの湿度調節部の構成の一例を示す図である。
【図８】本発明の実施の形態２に係るランドリーバスケットの脱臭制御部で実行される脱臭処理の流れの一例を示すフローチャートである。
【図９】本発明の実施の形態３に係るランドリーバスケットの構成を示す断面図である。
【図１０】本発明の実施の形態４に係るランドリーバスケットの構成を示す断面図である。
【図１１】本発明の実施の形態４に係るランドリーバスケットの脱臭制御部で実行される急速脱臭処理の流れの一例を示すフローチャートである。
【発明を実施するための形態】
【０００９】
実施の形態１．
本発明の実施の形態１に係る収納容器について説明する。本実施の形態では、収納容器として、住宅で使用されるランドリーバスケットを例に挙げる。ランドリーバスケットは、日常生活の中で生じた汚れた衣類等を収納物として収納するものである。衣類には、布おむつ及び紙おむつが含まれるものとする。以下の説明では、ランドリーバスケットに収納される汚れた衣類等の収納物をまとめて、単に「衣類」という。例えば、ユーザは、洗濯が必要な衣類をランドリーバスケットに一定期間収納しておく。洗濯を行う際、ユーザは、ランドリーバスケットに収納されている衣類を洗濯機の処理槽に移動させる。ランドリーバスケットは、ランドリーセラーと呼ばれる場合もある。
【００１０】
本実施の形態のランドリーバスケットは、洗濯前の衣類に付着している臭い又は衣類を放置することにより発生する臭いを脱臭できるように構成されている。ここで、「脱臭」とは、臭気物質を除去することである。例えば、活性炭又は吸着材を用いて臭気物質を吸着除去すること、及びオゾンガスにより臭気物質を分解除去することは、「脱臭」の一例である。また、本願明細書では、化学物質との反応による臭いの低減、及び、別の臭いの追加によるマスキングも、「脱臭」に含まれるものとする。
【００１１】
図１は、本実施の形態に係るランドリーバスケット１００の構成を示す斜視図である。図２は、本実施の形態に係るランドリーバスケット１００の構成を示す上面図である。図３は、図２のＩＩＩ−ＩＩＩ断面を示す断面図である。図４は、図３のＩＶ−ＩＶ断面を示す断面図である。図１及び図２では、蓋部１２の図示を省略している。図１及び図３における上下方向は、ランドリーバスケット１００が使用可能な状態に設置されたときの鉛直上下方向を表している。図３では、空気の流れ方向を白抜き太矢印で表している。
【００１２】
図１〜図４に示すように、ランドリーバスケット１００は、収納部２０、脱臭部４０及び送風部５０と、これらを収容する筐体１０と、を有している。筐体１０は、全体として、上面視で略楕円状となる形状を有している。筐体１０は、筐体本体部１１及び蓋部１２を有している。筐体本体部１１は、上方に開口した上面開口部１１ａを有している。蓋部１２は、上面開口部１１ａを開閉できるように、筐体本体部１１に取り付けられている。
【００１３】
また、ランドリーバスケット１００は、筐体１０内に配置される仕切板１３を有している。仕切板１３は、筐体本体部１１の内部の空間を格納空間１４と脱臭空間１５とに仕切るように構成されている。格納空間１４は、収納部２０が着脱自在に格納される空間である。脱臭空間１５は、脱臭部４０及び送風部５０が格納される空間である。仕切板１３は、断面円弧状の形状を有している。仕切板１３には、第１仕切板開口部１３ａと、第１仕切板開口部１３ａよりも下方に配置された第２仕切板開口部１３ｂと、が形成されている。
【００１４】
格納空間１４の周囲は、筐体本体部１１及び仕切板１３によって円筒状に囲まれている。格納空間１４の下部には、円板状の台座板１６が設けられている。台座板１６は、筐体本体部１１の底部よりも上方に位置している。台座板１６の下方の空間には、後述する戻りダクト６２等が配置される。収納部２０が格納空間１４に格納されると、収納部２０の底面部２４は台座板１６の上面に接触する。台座板１６の中心部には、台座板開口部１６ａが形成されている。
【００１５】
脱臭部４０は、送風部５０の吹出し側に接続されている。すなわち、脱臭部４０は、空気の流れにおいて送風部５０の下流側かつ収納部２０の上流側に配置されている。脱臭部４０と第１仕切板開口部１３ａとの間は、筐体１０内に設けられた送りダクト６１によって接続されている。これにより、送風部５０により送風されて脱臭部４０を通過した空気は、送りダクト６１を通り、第１仕切板開口部１３ａから格納空間１４に吹き出される。送りダクト６１は、脱臭空間１５内に設けられている。
【００１６】
送風部５０の吸込み側と台座板開口部１６ａとの間は、筐体１０内に設けられた戻りダクト６２によって接続されている。戻りダクト６２は、第２仕切板開口部１３ｂを介して仕切板１３を貫通している。これにより、格納空間１４内の空気は、台座板開口部１６ａ及び戻りダクト６２を通って送風部５０に吸い込まれる。
【００１７】
第１仕切板開口部１３ａの開口端には、送りダクト６１の外周面が隙間なく密着している。台座板開口部１６ａの開口端には、戻りダクト６２の外周面が隙間なく密着している。蓋部１２が閉じられた状態では、蓋部１２は、筐体本体部１１及び仕切板１３のそれぞれの上端部と隙間なく密着している。これにより、蓋部１２が閉じられると、格納空間１４と脱臭空間１５との間では、送りダクト６１又は戻りダクト６２を介してのみ空気が移動する。
【００１８】
蓋部１２は、筐体本体部１１の上面開口部１１ａを開閉自在となるように、例えばヒンジ部を介して筐体本体部１１に取り付けられている。蓋部１２は筐体本体部１１及び仕切板１３のそれぞれの上端部と密着するため、蓋部１２が閉じられた状態では、収納部２０が格納された格納空間１４は筐体１０の外部から密閉される。また、蓋部１２は、格納空間１４に格納された収納部２０の内周壁２１及び外周壁２２のそれぞれの上端部とも密着するように構成されている。ランドリーバスケット１００は、不図示のインタロック装置を備えている。予め設定された条件下において、インタロック装置により蓋部１２の施錠又は解錠が行われる。なお、図３に示す蓋部１２は板状の形状を有しているが、蓋部１２の形状はこれに限られない。蓋部１２は、筐体本体部１１の上面開口部１１ａを閉じることができる形状であれば、種々の形状を有することができる。
【００１９】
収納部２０は、筐体本体部１１内の格納空間１４に着脱自在に格納されている。収納部２０は、大まかには、上面が開口された円筒状の形状を有している。具体的には、収納部２０は、内周壁２１と外周壁２２とを備えた同心の二重円筒状の形状を有している。内周壁２１及び外周壁２２は、いずれも鉛直上下方向に沿って延びている。収納部２０において内周壁２１と外周壁２２とに挟まれたドーナツ形状の空間は、衣類が収納される収納空間２３となる。内周壁２１と外周壁２２とは、内周壁２１及び外周壁２２の径方向において、収納空間２３を挟んで互いに対向している。収納空間２３の下方には、底面部２４が形成されている。収納空間２３の上方には、上面開口部２５が形成されている。底面部２４及び上面開口部２５はいずれも、ドーナツ形状に形成されている。上面開口部２５は、ユーザによる収納空間２３への衣類の出し入れが可能なように構成されている。収納空間２３に入れられた衣類は、底面部２４上に貯められる。内周壁２１、外周壁２２及び底面部２４は、収納空間２３を画定する機能とともに、収納された衣類を保持する衣類保持部材としての機能を有する。
【００２０】
収納部２０の外周壁２２と、収納部２０を囲む筐体本体部１１及び仕切板１３と、の間には、格納空間１４の一部である円筒状の空間として、外周空間１７が形成されている。外周空間１７は、収納部２０が格納空間１４に格納された状態において、外周壁２２よりも外側に全周にわたって設けられている。
【００２１】
外周壁２２には、外周空間１７から収納空間２３に空気を流入させる通風流入口２２ａが形成されている。通風流入口２２ａは、外周壁２２の周方向及び高さ方向のいずれにおいても、外周壁２２の全体に形成されている。通風流入口２２ａは、例えば網目状に形成された複数の開口孔によって構成されている。通風流入口２２ａを構成する複数の開口孔のそれぞれは、ランドリーバスケット１００の動作中において、放電生成物又は水蒸気を含む空気の通過が許容され、衣類の通過が阻止されるような大きさに形成される。例えば、複数の開口孔のそれぞれは、１０ｍｍ角の正方形状に形成される。
【００２２】
内周壁２１の内側には、内周空間１８が形成されている。収納部２０が格納空間１４に格納された状態では、内周壁２１の下部は、台座板開口部１６ａと接続される。これにより、内周空間１８の空気は、台座板開口部１６ａを通って戻りダクト６２に流出し、送風部５０に吸い込まれる。
【００２３】
内周壁２１には、収納空間２３から内周空間１８に空気を流出させる通風流出口２１ａが形成されている。通風流出口２１ａは、内周壁２１の周方向及び高さ方向のいずれにおいても、内周壁２１の全体に形成されている。通風流出口２１ａは、例えば網目状に形成された複数の開口孔によって構成されている。通風流出口２１ａを構成する複数の開口孔のそれぞれは、ランドリーバスケット１００の動作中において、放電生成物又は水蒸気を含む空気の通過が許容され、衣類の通過が阻止されるような大きさに形成される。例えば、複数の開口孔のそれぞれは、１０ｍｍ角の正方形状に形成される。外周壁２２の全体に通風流入口２２ａが形成され、内周壁２１の全体に通風流出口２１ａが形成されていることから、通風流入口２２ａを通って収納空間２３に流入し通風流出口２１ａを通って収納空間２３から流出する空気は、概ね水平に流れる。
【００２４】
収納部２０における内周壁２１及び外周壁２２以外の壁、例えば底面部２４は、板状に形成されていてもよいし、複数の開口孔を備えた網状に形成されていてもよい。ただし、これらの壁は、通風流入口２２ａから流入した空気が直接、通風流出口２１ａに流出しないように構成されるのが望ましい。
【００２５】
収納部２０は、種々の材料によって形成され得る。例えば、収納部２０は、樹脂を用いて形成されていてもよいし、金属を用いて形成されていてもよい。樹脂を用いて収納部２０を形成した場合、軽量で安価な収納部２０が得られる。金属を用いて収納部２０を形成した場合、放電生成物による劣化の生じにくい収納部２０が得られる。金属が蒸着された樹脂を用いて収納部２０を形成した場合、軽量でかつ放電生成物による劣化が生じにくい収納部２０が得られる。
【００２６】
収納部２０は、上面に上面開口部２５を有している。このため、ユーザは、上面開口部２５を介して、収納部２０内の収納空間２３に衣類を出し入れすることができる。また、収納部２０は、筐体本体部１１の格納空間１４に着脱自在に格納されている。このため、ユーザは、衣類が収納された収納部２０を、筐体本体部１１から取り外して洗濯機のそばまで運ぶことができる。
【００２７】
収納部２０は、不図示の持ち手部を備えている。持ち手部は、収納空間２３内に設けられる。例えば、持ち手部は、２本の棒状部材を有している。２本の棒状部材のそれぞれの一端は、収納部２０の底面部２４にねじ止め等によって接続されている。２本の棒状部材のそれぞれの他端は、ユーザが手を引っかける引っかけ部を介して互いに接続されている。持ち手部は、収納空間２３内の通風の妨げにならないように、通風流出口２１ａ及び通風流入口２２ａと干渉しないように設けられるのが望ましい。また、持ち手部における引っかけ部の中央部には棒状部材が存在しないため、引っかけ部はユーザにとって持ちやすい構造になっている。ユーザは、持ち手部の引っかけ部を持って収納部２０を持ち上げることで、収納部２０を筐体本体部１１から取り外すことができ、また、収納部２０単体で持ち運ぶことができる。具体的には、ユーザは、洗濯を行う際に、収納部２０を筐体本体部１１から取り外し、洗濯機の設置場所まで収納部２０を持ち運ぶ。そして、ユーザは、収納部２０内に収納されている衣類を洗濯機の処理槽に移動させ、洗濯を行う。
【００２８】
持ち手部は、収納部２０の底面部２４ではなく、収納部２０の外周壁２２に接続されるようにしてもよい。持ち手部は、ユーザが当該持ち手部を持って収納部２０を持ち上げることができるようになっていれば、どの位置に設けられていてもよい。
【００２９】
脱臭部４０及び送風部５０のそれぞれは、吸気口と排気口とを有している。本実施の形態では、脱臭部４０が送風部５０の下流側に配置されているため、脱臭部４０の吸気口は、送風部５０の排気口に接続されている。脱臭部４０及び送風部５０は、仕切板１３によって格納空間１４から分離された脱臭空間１５に配置されている。
【００３０】
脱臭部４０は、脱臭装置を備えている。脱臭装置は、衣類に付着している臭気物質を分解除去できる脱臭成分を生成するように構成されている。あるいは、脱臭装置は、収納部２０から戻った空気に含まれる臭気物質を吸着除去又は分解除去するように構成されている。本実施の形態の脱臭部４０は、脱臭装置として放電機構を備える。放電機構は、複数のワイヤ電極と複数の板電極とが交互に配置された放電部と、放電部を覆う電極カバーと、を備えている。放電機構は、脱臭成分として放電生成物を生成する。放電機構は、一体的に形成されてユニット化されている。さらに、放電機構は、高電圧発生回路などを搭載した制御回路基板を内蔵するとともに、外部から電力が供給されるコネクタを備えている。
【００３１】
放電機構において、ワイヤ電極は放電電極として機能し、板電極は接地電極として機能する。商用電源から得られた電力は、コネクタを介し、電線を通じて放電機構に供給される。放電機構に供給された電力は、制御回路基板により高電圧に変換されて放電電極に供給される。放電電極と接地電極との間に高電圧が印加されると放電が起こり、放電生成物としてイオン又はオゾンガスが空気中に発生する。ここで、放電電極及び接地電極は、脱臭部４０内の風路断面の全体にわたって配置されていてもよい。このようにすれば、脱臭部４０内の風路を流通する全ての空気が放電部を通過するため、脱臭部４０内の風路を流通する空気に、より多くの放電生成物を含ませることができる。放電については、既存の技術であるため、詳細な説明を省略する。放電機構による放電動作は、制御回路基板により構成される脱臭制御部によって制御される。脱臭制御部による放電機構に対しての具体的な制御動作については、後述する。
【００３２】
本実施の形態では、放電機構が複数のワイヤ電極を備えているが、これは一例に過ぎない。ワイヤ電極は、放電機構に１層のみ設けられるようにしてもよい。
【００３３】
送風部５０は、送風機能を有する送風機５１と、ほこりを除去するフィルター５２と、を有している。フィルター５２は、オゾンガスを分解する活性炭又は触媒を備えている。ここでは、触媒を備えるフィルター（以下、「触媒フィルター」という）について説明する。触媒フィルターは、二酸化マンガンを主成分とする触媒が担持されたハニカム形状のフィルターによって構成されている。具体的には、触媒フィルターは、コア材に触媒成分を担持させることによって形成されている。コア材としては、酸化マンガンベースのセラミック製ハニカム成形品、又は金属製ハニカム成形品が用いられる。触媒成分としては、二酸化マンガンを主成分とする触媒成分が用いられる。ハニカム形状のフィルターを用いることによって、フィルター５２を通過する空気の圧力損失を低減することができる。
【００３４】
フィルター５２は、送風部５０の吸気口側、すなわち送風機５１よりも上流側に設けられている。例えばフィルター５２は、送風機５１と一体に形成されている。フィルター５２は、収納部２０から戻った空気中のほこりを除去するように構成されている。これにより、送風機５１、及びその下流側の脱臭部４０へのほこりの侵入を防止することができる。また、フィルター５２は、収納部２０から戻った空気中のオゾンガスを分解するように構成されている。これにより、ランドリーバスケット１００内でのオゾンガスの蓄積、及びそれに伴うオゾンガス濃度の上昇を防止することができる。
【００３５】
送風機５１としては、静圧が高くかつ静音のもの、例えばシロッコファンが用いられる。これにより、衣類によって圧力損失が高くなった収納部２０に対しても、静音で送風することができる。シロッコファンは、遠心送風機の一種である。シロッコファンは、複数の羽根を備えた略円筒状の羽根車と、羽根車を覆う渦巻き形状のスクロールケースと、を有する多翼ファンである。スクロールケースの中心部には、吸込口が形成されている。吸込口からは、回転軸に沿って空気が吸い込まれる。スクロールケースの外周部には、吹出口が形成されている。吹出口からは、回転軸を中心とする渦巻きの接線方向に空気が吹き出される。フィルター５２は、例えば上記吸込口を覆うように、風路断面の全体に設けられている。送風機５１の上流側における風路断面の全体にフィルター５２が設けられることにより、送風機５１に流入する空気に含まれる微粒子及びオゾンガスを除去することができる。
【００３６】
送風部５０は、戻りダクト６２を介して収納部２０の空気を吸い込み、脱臭部４０側に空気を吹き出す。脱臭部４０側に吹き出された空気は、脱臭部４０で生成された放電生成物と共に、送りダクト６１を通って収納部２０に供給される。収納部２０、送風部５０及び脱臭部４０がこのように配置されることにより、脱臭部４０で生成された放電生成物が収納部２０に速やかに供給されるため、収納部２０の収納空間２３に収納された衣類の脱臭及び除菌を効率的に行うことができる。また、脱臭部４０で生成された放電生成物が送風部５０に直接流入するのを防ぐことができるため、送風部５０の機器類の劣化を抑えられる。
【００３７】
フィルター５２としては、種々の構造のものを用いることができる。例えば、フィルター５２はシート状であってもよい。この場合、フィルター５２を安価に作製できる。また、フィルター５２は、シート状フィルターをジグザグ状にひだ折りしたプリーツ形状であってもよい。この場合、シート状フィルターと比較して、ろ過面積を大きくすることができる。これにより、フィルター５２を通過する空気の線速度を低減できるため、ほこり捕集効率及びオゾン分解率を高めることができる。また、フィルター５２は、波形状のシート部材であるフルートと、平板状のシート部材であるライナーと、を交互に積層したハニカム形状であってもよい。この場合、空気が各シート部材に対して平行に流れる構造となるため、空気の圧力損失を極めて低くすることができる。また、フィルター５２は、１層ずつのフルート及びライナーにより構成されるコルゲート形状であってもよい。この場合、プリーツ形状のフィルターよりも容易に作製できるため、フィルター５２の加工費を低減することができる。
【００３８】
フィルター５２は、送風部５０に対して、種々の方式で取り付けられる。例えば、フィルター５２は、スライド方式又はクランプワンタッチ方式の着脱機構により、送風部５０に対して着脱自在に取り付けられる。この場合、フィルター５２は、脱臭空間１５に着脱自在に格納される。フィルター５２と送風部５０との取付け部分のうち、風路の継ぎ目となる部分には、パッキンを配置してもよい。パッキンが配置されることにより、取付け部分からの空気漏れを防止することができる。パッキンは、種々の材料で形成され得る。パッキンの材料としてテフロン（登録商標）等のフッ素樹脂を用いることにより、オゾンガス等の酸化物質によるパッキンの劣化を防止することができる。また、パッキンの材料としてシリコン樹脂を用いることにより、パッキンを安価に作製することができる。
【００３９】
ランドリーバスケット１００の筐体１０内の風路について、図３及び図４を参照しつつ説明する。送風部５０の排気口は、脱臭部４０の吸気口に接続されている。脱臭部４０の排気口は、送りダクト６１の一端に接続されている。送りダクト６１の他端は、仕切板１３の第１仕切板開口部１３ａを貫通して、収納部２０の外周側に設けられた外周空間１７に接続されている。
【００４０】
外周空間１７は、通風流入口２２ａを介して、収納部２０の収納空間２３とつながっている。収納空間２３は、通風流出口２１ａを介して、収納部２０の内周空間１８とつながっている。内周空間１８は、台座板開口部１６ａを介して、戻りダクト６２の一端に接続されている。戻りダクト６２は、仕切板１３の第２仕切板開口部１３ｂを貫通している。戻りダクト６２の他端は、送風部５０の吸気口に接続されている。
【００４１】
送風部５０、脱臭部４０、送りダクト６１、収納部２０及び戻りダクト６２は、循環風路６０を構成している。循環風路６０は、収納部２０を経由して空気が循環する風路である。循環風路６０は、筐体１０の内部に形成されている。
【００４２】
風路の継ぎ目となる部分、例えば、内周壁２１の下部と台座板開口部１６ａとの間には、必要に応じてパッキンを配置してもよい。
【００４３】
風路を構成する部材は、イオン及びオゾンガスを吸着又は分解しにくい材料によって形成されている。例えば、風路を構成する部材は、絶縁体によって形成されている。絶縁体としては、アルマイト処理により酸化被膜が形成されたアルミニウム、又は、絶縁塗料などによりコーティングされた各種金属を用いることができる。また、絶縁体としては、ガラス又はアクリル樹脂を用いることもできる。風路を構成する部材は、ＰＳ（ＰｏｌｙＳｔｙｒｅｎｅ）、ＡＢＳ（Ａｃｒｙｌｏｎｉｔｒｉｌｅ、Ｂｕｔａｄｉｅｎｅ、Ｓｔｙｒｅｎｅの共重合合成樹脂）、ＰＰ（ＰｏｌｙＰｒｏｐｙｌｅｎｅ）等の樹脂を用いて形成することもできる。ただし、風路を構成する部材に樹脂を用いる場合、風路を通過した空気においてイオン及びオゾンガスの濃度低下が生じないことを事前に確認するのが望ましい。このように構成することで、脱臭部４０で生成されたイオン及びオゾンガスは、濃度を維持したまま収納部２０まで供給される。これにより、収納部２０に収納した衣類の脱臭及び除菌を効率良く行うことができる。
【００４４】
ランドリーバスケット１００の筐体１０内での空気の流れについて説明する。送風機５１が駆動すると、筐体１０内の空気は循環風路６０を循環する。具体的には、送風部５０から吹き出された空気は、脱臭部４０を通過する。脱臭部４０では、放電生成物等の脱臭成分が生成される。生成された脱臭成分は、空気と共に脱臭部４０から流出する。あるいは、脱臭部４０では、脱臭部４０に流入した空気に含まれる臭気物質が除去される。脱臭部４０から流出した空気は、外周空間１７に供給される。外周空間１７に供給された空気は、通風流入口２２ａを通って収納部２０の収納空間２３に流入する。収納空間２３に流入した空気は、収納空間２３に収納されている衣類を通過し、通風流出口２１ａを介して収納空間２３から流出し、内周空間１８に流入する。内周空間１８に流入した空気は、台座板開口部１６ａを通って収納部２０から流出する。収納部２０から流出した空気は、戻りダクト６２を通って送風部５０の吸気口に吸い込まれる。送風部５０の吸気口に吸い込まれた空気は、フィルター５２を通過し、送風機５１によって再び送風部５０の排気口から吹き出される。このように、筐体１０内の空気は、送風部５０、脱臭部４０、収納部２０及び送風部５０をこの順に経由して、循環風路６０を循環する。
【００４５】
収納部２０は、収納空間２３を規定するとともに、通風性を有する衣類保持部材として機能する。上記のように筐体１０内で空気が循環することにより、脱臭部４０から流出した空気は、収納部２０の外周壁２２を通って収納空間２３内の衣類に供給され、衣類を通過した空気は、収納部２０の内周壁２１を通って収納空間２３から排出される。収納空間２３に空気を流入させる通風流入口２２ａは外周壁２２に形成されており、収納空間２３から空気を流出させる通風流出口２１ａは内周壁２１に形成されている。外周壁２２の半径は内周壁２１の半径よりも大きいため、外周壁２２の面積は内周壁２１の面積よりも大きい。そのため、外周壁２２に通風流入口２２ａが形成されることにより、脱臭部４０から供給される放電生成物が直接衣類に触れる部分の表面積が大きくなり、脱臭効果が高まる。
【００４６】
脱臭部４０で生成された放電生成物は、空気と共に収納空間２３に導入される。収納空間２３に導入された放電生成物は、収納空間２３内の衣類に付着している臭気物質、微生物又はウイルスと接触する。これにより、放電生成物による酸化作用又は中和作用が生じ、衣類に付着している臭気物質が除去される。また、放電生成物による酸化作用により、衣類に付着している微生物又はウイルスが殺菌される。さらに、放電生成物による酸化作用により、衣類に付着している汚れの表面が親水化される。これにより、後に衣類が洗濯機によって洗濯される際、汚れが水に溶解しやすくなるため、汚れが落ちやすくなる。
【００４７】
また、衣類に付着している揮発しやすい臭気物質は、通風により揮発し、衣類から飛散する。衣類を通過した空気は、収納部２０の内周壁２１を通って収納空間２３から排出され、送風部５０を通って脱臭部４０に供給される。そのため、衣類から飛散した臭気物質は、空気と共に、戻りダクト６２及び送風部５０を通って脱臭部４０に流入する。脱臭部４０では、放電により放電生成物が発生している。脱臭部４０に流入した臭気物質は、放電生成物により分解されるのはもちろんのこと、放電場での熱分解、短寿命の活性種（放電生成物の一種；例えば、ＯＨ・、Ｏ・）による酸化分解、又は電子衝突による分解によっても除去される。このように、脱臭部４０では、放電生成物、放電場、活性種などの作用により臭気物質が分解されて無臭化されるため、脱臭効果が高まる。
【００４８】
送風部５０の吸気口側には、フィルター５２が装着されている。これにより、収納部２０から空気と共に排出されたほこりは、フィルター５２により捕捉される。このため、送風機５１の動作中には、収納部２０内のほこりが送風機５１及び脱臭部４０に侵入しにくい。
【００４９】
ただし、送風機５１の停止中には、収納部２０内のほこりが逆流して送風機５１及び脱臭部４０に侵入する場合がある。例えば、送風部５０及び脱臭部４０が、収納部２０に隣接して又は収納部２０内に設けられている場合、収納部２０内のほこりが送風機５１及び脱臭部４０に侵入しやすくなる。また、送風機５１がシロッコファンである場合、停止するときに逆回転が生じ、空気の微小な逆流が生じ得るため、収納部２０内のほこりが送風機５１及び脱臭部４０に侵入しやすくなる。ほこりが脱臭部４０に侵入すると、脱臭部４０の放電機構が備える接地電極又は放電電極にほこりが付着し、放電が継続できなくなる場合がある。
【００５０】
これに対し、本実施の形態の送風部５０及び脱臭部４０は、収納部２０が配置される格納空間１４から隔離された脱臭空間１５に配置されている。また、循環風路６０において脱臭部４０と収納部２０との間には送りダクト６１が介在しているため、循環風路６０に沿った収納部２０と脱臭部４０との距離は、送りダクト６１の分だけ長くなる。これにより、送風機５１の停止中には、収納部２０内のほこりが送風機５１及び脱臭部４０に侵入する可能性を低減することができる。したがって、本実施の形態によれば、送風機５１の動作中だけでなく、送風機５１の停止中においても、送風機５１及び脱臭部４０へのほこりの侵入を抑えることができる。よって、脱臭部４０の放電機構による放電及び送風機５１による送風を長期間継続できるため、脱臭効果を長期間維持することができる。
【００５１】
フィルター５２は、オゾンガスを分解する機能を備える触媒フィルターである。放電生成物としてイオン及びオゾンガスを用いる場合、イオン濃度が１０6個／ｃｍ3以上でオゾンガス濃度が０．０５ｐｐｍ程度であれば、衣類の脱臭及び除菌を効率的に行うことができる。衣類中でのイオン及びオゾンガスの減衰速度を比較すると、オゾンガスの減衰速度はイオンの減衰速度よりも低い。このため、脱臭部４０によりイオン及びオゾンガスが生成されている状態で、空気が循環風路６０を循環していると、オゾンガス濃度のみが徐々に上昇してしまう場合がある。高濃度のオゾンガスが衣類に接触すると、衣類を傷めるおそれがある。これに対し、本実施の形態では、フィルター５２によってオゾンガスが分解されるため、オゾンガス濃度の上昇を抑えることができる。
【００５２】
このように、本実施の形態では、オゾンガスを分解するフィルター５２が循環風路６０に設けられている。これにより、脱臭及び除菌に寄与する放電生成物のうち、分解されにくく収納部２０に蓄積されやすいオゾンガスをフィルター５２によって分解することができる。したがって、収納部２０でのオゾンガスの蓄積を抑制できるため、衣類が傷んでしまうのを防ぐことができる。
【００５３】
送風部５０及び脱臭部４０は、収納部２０が格納される格納空間１４から分離された脱臭空間１５に配置されている。送風部５０及び脱臭部４０は、例えば一体に形成されている。また、送風部５０及び脱臭部４０は、脱臭空間１５に着脱自在に格納されている。具体的には、送風部５０及び脱臭部４０は、スライド方式又はクランプワンタッチ方式の着脱機構により、筐体１０に対して着脱自在に取り付けられている。スライド方式又はクランプワンタッチ方式の着脱機構が用いられることにより、送風部５０及び脱臭部４０を筐体１０に対して容易に着脱することができる。送風部５０及び脱臭部４０と筐体１０との取付け部分のうち、風路の継ぎ目となる部分には、パッキンを配置してもよい。パッキンが配置されることにより、取付け部分からの空気漏れを防止することができる。パッキンは、種々の材料で形成され得る。パッキンの材料としてテフロン（登録商標）等のフッ素樹脂を用いることにより、オゾンガス等の酸化物質によるパッキンの劣化を防止することができる。また、パッキンの材料としてシリコン樹脂を用いることにより、パッキンを安価に作製することができる。
【００５４】
送風部５０の一部であるフィルター５２は、収納部２０から排出された空気中のほこりを捕捉するように構成されている。このため、フィルター５２にはほこりが堆積しやすい。また、送風機５１及び脱臭部４０は、空気の流れにおいてフィルター５２の下流側に位置している。しかしながら、送風機５１及び脱臭部４０には、フィルター５２で捕捉できなかった微小なほこりが付着してしまう可能性がある。本実施の形態によれば、送風機５１、フィルター５２及び脱臭部４０を筐体１０から容易に取り外すことができる。このため、フィルター５２に堆積したほこりの除去と、送風機５１及び脱臭部４０に付着した微小なほこりの除去と、を一度に行うことが可能となる。したがって、ランドリーバスケット１００の送風部５０及び脱臭部４０のメンテナンスを容易に行うことができる。
【００５５】
ランドリーバスケット１００には、不図示の電源コードの一端が接続されている。電源コードの他端にはプラグが設けられている。このプラグがコンセントに接続されることにより、ランドリーバスケット１００に電力が供給される。コンセントは、例えば住宅に設置されているコンセントである。コンセントには、商用電源からの電力が供給される。
【００５６】
ランドリーバスケット１００は、充電可能なバッテリを備えていてもよい。この場合、ランドリーバスケット１００には、バッテリから電力を供給することができる。このため、商用電源からの電力供給が困難な場所にランドリーバスケット１００が設置されていても、ランドリーバスケット１００を稼動させることができる。バッテリは、脱臭空間１５に格納されている。バッテリは、送風部５０及び脱臭部４０と一体に形成され、送風部５０及び脱臭部４０と共に、脱臭空間１５に着脱自在に格納されるようにしてもよい。この場合、送風部５０、脱臭部４０及びバッテリを筐体１０から容易に取り外すことができるため、送風部５０及び脱臭部４０のメンテナンスを行う際に、バッテリの充電を行うことができる。したがって、送風部５０及び脱臭部４０のメンテナンスとバッテリの充電とを一度に行うことが可能となる。
【００５７】
戻りダクト６２は、水分を捕集する水分トラップ部を備える。具体的には、水平面に対して傾斜して形成された戻りダクト６２の底部のうち、鉛直方向の高さが最も低くなっている部分には、水分トラップ部としてドレンパン部６３が形成されている。ドレンパン部６３は、アルマイト処理により酸化被膜が形成されたアルミニウム、又は、絶縁塗料などによりコーティングされた各種金属を用いて形成されている。また、ドレンパン部６３は、ガラス又はアクリル樹脂を用いて形成されていてもよい。ドレンパン部６３は、ＰＳ、ＡＢＳ、ＰＰ等の樹脂を用いて形成されていてもよい。ただし、ドレンパン部６３の形成材料として樹脂を用いる場合、樹脂のグレードによっては、戻りダクト６２を通過した空気においてイオン及びオゾンガスの濃度低下が生じてしまう場合がある。このため、ドレンパン部６３の形成材料として樹脂を用いる場合には、戻りダクト６２を通過した空気においてイオン及びオゾンガスの濃度低下が生じないことを事前に確認するのが望ましい。ドレンパン部６３は、戻りダクト６２の他の部分と同じ材料を用いて形成されていてもよいし、戻りダクト６２の他の部分とは異なる材料を用いて形成されていてもよい。
【００５８】
戻りダクト６２にドレンパン部６３が設けられることにより、濡れた衣類が収納部２０に収納されて戻りダクト６２に水分が侵入した場合であっても、戻りダクト６２を通って送風部５０及び脱臭部４０にまで水分が侵入してしまうのを防ぐことができる。したがって、送風部５０の送風機５１及び脱臭部４０の放電機構のそれぞれの動作を安定して維持できるため、ランドリーバスケット１００の脱臭効果を長期間維持することができる。
【００５９】
ドレンパン部６３は、送風部５０及び脱臭部４０と一体に形成され、送風部５０及び脱臭部４０と共に、脱臭空間１５に着脱自在に格納されるようにしてもよい。これにより、送風部５０、脱臭部４０及びドレンパン部６３を筐体１０から容易に取り外すことができるため、送風部５０及び脱臭部４０のメンテナンスとドレンパン部６３のメンテナンスとを一度に行うことが可能となる。したがって、ドレンパン部６３のメンテナンスを容易に行うことができる。
【００６０】
ランドリーバスケット１００は、ランドリーバスケット１００を構成する各部の動作を制御する制御部を備えている。制御部による制御は、ソフトウェアに基づくＣＰＵ（Ｃｅｎｔｒａｌ  Ｐｒｏｃｅｓｓｉｎｇ  Ｕｎｉｔ）を用いたプログラム処理によって実行される。制御部は、例えば、蓋部１２の動作を制御する蓋制御部と、既に述べた脱臭制御部と、を有している。蓋制御部は、蓋部１２の施錠動作及び解錠動作を制御する。脱臭制御部は、主に、脱臭部４０の放電機構及び送風部５０の送風機５１の動作を制御する。
【００６１】
ランドリーバスケット１００の制御部による各種制御動作について説明する。まず、蓋制御部による蓋部１２の開閉制御について具体例を挙げて説明する。蓋制御部は、解錠指示を受け付けた場合には蓋部１２を解錠させる。例えば、ユーザは、ランドリーバスケット１００の電源をオンにし、蓋部１２又は筐体本体部１１に設けられた「開」ボタン（図示せず）を押すことにより、解錠指示を入力する。また、例えば、ユーザは、リモコン等を操作して、解錠指示を入力するようにしてもよい。この場合、ランドリーバスケット１００が備える通信部（図示せず）が、リモコンから送信された解錠指示を受信する。蓋制御部は、解錠指示を受け付けると、蓋部１２を解錠させる。蓋部１２が解錠されると、蓋部１２は開閉可能な状態となる。
【００６２】
一方、蓋制御部は、施錠指示を受け付けた場合には蓋部１２を施錠させる。例えば、ユーザは、蓋部１２又は筐体本体部１１に設けられた「閉」ボタン（図示せず）を押すことにより、施錠指示を入力する。また、例えば、ユーザは、リモコン等を操作して、施錠指示を入力するようにしてもよい。蓋制御部は、施錠指示を受け付けると、蓋部１２を施錠させる。蓋部１２が施錠されると、蓋部１２は開閉できない状態となる。
【００６３】
また、蓋制御部は、予め設定された条件下において、インタロック装置による蓋部１２の施錠又は解錠を行う。例えば、上述の放電生成物にオゾンガスが含まれる場合、蓋制御部は、収納空間２３内のオゾンガス濃度に基づいて以下のような蓋部１２の制御を行う。まず、蓋制御部は、オゾンガス濃度センサ（図示せず）から収納空間２３内のオゾンガス濃度の情報を取得するとともに、放電電圧測定部（図示せず）から放電機構における放電電圧の情報を取得する。オゾンガス濃度センサ及び放電電圧測定部は、ランドリーバスケット１００内に設けられる。蓋制御部は、収納空間２３内のオゾンガス濃度が０．０５ｐｐｍより大きいか、又は放電機構における放電電圧が０ｋＶより大きい場合には、インタロック装置により蓋部１２を施錠させる。これにより、蓋部１２は開閉できない状態になる。蓋制御部は、収納空間２３内のオゾンガス濃度が０．０５ｐｐｍ以下であり、かつ放電機構における放電電圧が０ｋＶである場合には、インタロック装置により蓋部１２を解錠させる。これにより、蓋部１２は開閉可能な状態になる。
【００６４】
なお、オゾンガス濃度が０．０５ｐｐｍ以下であることは、世界的な室内環境基準である。アメリカ合衆国食品医薬品局（ＦＤＡ；Ｆｏｏｄ  ａｎｄ  Ｄｒｕｇ  Ａｄｍｉｎｉｓｔｒａｔｉｏｎ）では、室内環境基準の最大許容濃度が０．０５ｐｐｍ（２４ｈｒ）と定められている（１９９２年）。また、日本空気清浄協会では、オゾンガスを発生する器具による室内ガスの許容濃度が、最大０．１ｐｐｍ、平均０．０５ｐｐｍと定められている。オゾンガスは、脱臭効果を有するものの、濃度によっては人体に影響を及ぼす場合がある。収納空間２３内に高濃度のオゾンガスが存在している状態で蓋部１２が開けられると、オゾンガスが収納空間２３からランドリーバスケット１００の外部に漏洩してしまう。蓋制御部は、上述のように、オゾンガス濃度が０．０５ｐｐｍ以下であり、かつ放電電圧が０ｋＶである場合に、蓋部１２が開閉可能な状態になるように制御する。このため、ランドリーバスケット１００の外部へのオゾンガスの漏洩を防止することができる。
【００６５】
次に、脱臭制御部による脱臭部４０の放電機構と送風部５０の送風機５１の制御動作について、具体例を挙げて説明する。例えば、ユーザは、ランドリーバスケット１００の電源をオンにして蓋部１２を開け、収納空間２３内に衣類を入れる。一定期間経過後、ユーザは、収納空間２３内に収納されたまま放置されている衣類の脱臭を行うものとする。ユーザは、ランドリーバスケット１００の電源をオンにして脱臭開始指示を入力する。例えば、ユーザは、蓋部１２又は筐体本体部１１に設けられた「脱臭開始」ボタンを押すことにより、脱臭開始指示を入力する。また、例えば、ユーザは、リモコン等を操作して、脱臭開始指示を入力するようにしてもよい。この場合、ランドリーバスケット１００が備える通信部が、リモコンから送信された脱臭開始指示を受信する。脱臭制御部は、脱臭開始指示を受け付けると、放電機構に電力を供給し、当該放電機構を動作させる。また、脱臭制御部は、送風機５１に電力を供給し、モータを駆動させ、送風機５１を動作させる。これにより、放電機構により生成された放電生成物が空気と共に収納空間２３に供給され、収納空間２３内の衣類の脱臭が行われる。
【００６６】
脱臭制御部は、放電機構で生成される放電生成物の濃度を制御することもできる。例えば、放電機構がオゾンガスを生成する場合、脱臭制御部は、放電機構で生成されるオゾンガスの濃度を制御することができる。高濃度のオゾンガスが衣類に接触すると、衣類を傷めるおそれがある。そこで、脱臭制御部は、放電機構で生成されるオゾンガスの濃度が０．０５ｐｐｍ以下になるように放電機構を制御する。具体的には、脱臭制御部は、オゾンガス濃度センサから収納空間２３内のオゾンガス濃度の情報を取得し、オゾンガス濃度が０．０５ｐｐｍ以上であれば、放電機構に対して印加電圧を低下させるようにする。放電機構は、供給される電力の電圧又は周波数の変化に応じて、生成するオゾンガスの濃度を変化させることができる。
【００６７】
また、本実施の形態の放電機構は、放電生成物として、オゾンガスと負イオンとを生成することができる。これにより、収納空間２３では、オゾンガスだけでなく負イオンによっても衣類の脱臭が行われる。このため、上述のようにオゾンガスの濃度が０．０５ｐｐｍ以下に制御されたとしても、衣類の脱臭を十分に行うことができる。したがって、本実施の形態によれば、衣類の傷みを低減しつつ衣類の脱臭を行うことができる。
【００６８】
脱臭制御部は、放電機構を動作させる際には、蓋制御部に放電中である旨の通知を行う。蓋制御部は、放電中である旨の通知を脱臭制御部から受けると、インタロック装置に蓋部１２を施錠させる。これにより、放電中にユーザが蓋部１２を開けてしまうことを防止できるため、放電中に高濃度で存在する収納空間２３内のオゾンガスがランドリーバスケット１００の外部に漏洩するのを防ぐことができる。
【００６９】
本実施の形態に係るランドリーバスケット１００の構成は、以上説明した構成に限られず、適宜変形させることができる。上記の説明では、放電機構の放電電極をワイヤ電極とした。しかし、放電電極はワイヤ電極に限られない。例えば、放電電極は、リボン状電極又は針電極であってもよい。リボン状電極は、長方形状又はそれに類似した形状の断面を有する導電性リボンで構成される。リボン状電極の厚み、すなわち断面の短辺は、０．０５ｍｍ〜０．５ｍｍであり、例えば０．１ｍｍである。リボン状電極の幅、すなわち断面の長辺は０．３ｍｍ〜１ｍｍであり、例えば０．５ｍｍである。リボン状電極の材料には、タングステン、チタン、ステンレス、導電性樹脂などが用いられる。リボン状電極では、断面の短辺側となる表面を接地電極側に向けるようすると効率的に荷電できる。リボン状電極を用いることにより、ワイヤ電極よりも、放電時のスパッタによる電極磨耗による断線の影響を小さくできる効果がある。また、リボン状電極は、ワイヤ電極よりも強度が強く折れにくい。リボン状電極は、厚み０．０５ｍｍ〜０．５ｍｍの平板を、エッチング、ワイヤ加工、レーザー加工、板金打ち抜き等により、幅０．３〜１．０ｍｍの短冊が並ぶように加工することによって作製される。電極としての張りを保つため、リボン状電極の周囲にはヘミング曲げ等の曲げ加工を施してもよいし、リボン状電極の周囲を絶縁物等により補強してもよい。
【００７０】
このように、放電機構で放電によって放電生成物が生成されるようになっており、かつ、生成された放電生成物が空気と共に脱臭部４０から収納部２０へと送られるように構成されていれば、放電電極の構成は限定されない。
【００７１】
また、上記の説明では、図１等に示したように、収納部２０の平面形状を円形状とした。しかしながら、収納部２０の平面形状は円形状に限られない。収納部２０の平面形状は、略楕円形状であってもよいし、長方形状であってもよいし、ドーナツ形状であってもよい。収納部２０は、格納空間１４に着脱自在に格納され、通風流入口２２ａ及び通風流出口２１ａを有し、通風流入口２２ａ及び通風流出口２１ａのそれぞれが送風部５０及び脱臭部４０に接続できるようになっていれば、種々の形状を有することができる
【００７２】
図５は、本実施の形態の変形例に係るランドリーバスケット１００の構成を示す斜視図である。図５に示すように、本変形例の収納部２０は、略楕円形状の平面形状を有している。収納部２０の外周壁２２は、略楕円形状の平面形状を有している。収納部２０の内周壁２１は、外周壁２２の平面形状よりも扁平な略楕円形状の平面形状を有している。このように、外周壁２２及び内周壁２１のそれぞれの平面形状は、円形状に限られず、楕円形状、長円形状、多角形状などの種々の形状とすることができる。
【００７３】
また、上記の説明では、通風流入口２２ａが外周壁２２の全体に形成され、通風流出口２１ａが内周壁２１の全体に形成されるものとしたが、これは一例に過ぎない。例えば、通風流入口２２ａは、外周壁２２の一部のみに形成されていてもよい。また、通風流出口２１ａは、内周壁２１の一部のみに形成されていてもよい。
【００７４】
通風流出口２１ａは、内周壁２１だけでなく収納部２０の底面部２４にも形成されるようにしてもよいし、底面部２４のみに形成されるようにしてもよい。通風流出口２１ａが底面部２４に形成され、内周壁２１が存在しない場合、収納空間２３の容積を大きくすることができるため、衣類の収納量を増大させることができる。
【００７５】
通風流入口２２ａが内周壁２１に形成され、通風流出口２１ａが外周壁２２に形成されるようにしてもよい。内周壁２１の半径は外周壁２２の半径よりも小さいため、内周壁２１の面積は外周壁２２の面積よりも小さい。このため、内周壁２１に通風流入口２２ａが形成されると、通風流入口２２ａの面積が小さくなる。したがって、同じ送風機５１が用いられた場合であっても、送風機５１の吐出圧を高めることができる。これにより、収納空間２３に密に積み重ねられた衣類に対しても、高い静圧で通風させることができるため、脱臭効果が高まる。
【００７６】
また、通風流入口２２ａを構成する複数の開口孔のそれぞれの形状は、円形状であってもよいし、長方形状であってもよいし、それ以外の形状であってもよい。同様に、通風流出口２１ａを構成する複数の開口孔のそれぞれの形状は、円形状であってもよいし、長方形状であってもよいし、それ以外の形状であってもよい。収納部２０は、通風流入口２２ａ及び通風流出口２１ａがそれぞれ送りダクト６１及び戻りダクト６２を介して送風部５０等に接続され、収納空間２３に衣類を収納できるようになっていれば、種々の形状を有することができる。
【００７７】
また、上記の説明では、ユーザから入力された脱臭開始指示に基づきランドリーバスケット１００の脱臭動作を開始し、ユーザから入力された脱臭終了指示に基づきランドリーバスケット１００の脱臭動作を終了しているが、これは一例に過ぎない。例えば、ランドリーバスケット１００は、電源が投入されると脱臭動作を開始するように構成されていてもよい。ランドリーバスケット１００は、タイマー機能を備え、ユーザにより予め設定された時刻になると脱臭動作を開始又は終了するように構成されていてもよい。
【００７８】
また、上記の説明では、収納部２０が筐体１０の格納空間１４内に着脱自在に格納されるものとしたが、これは一例に過ぎない。収納部２０は、格納空間１４内に着脱不能に固定されていてもよい。
【００７９】
また、上記の説明では、筐体本体部１１、蓋部１２及び仕切板１３が別々に形成されているが、これは一例に過ぎない。筐体本体部１１、蓋部１２及び仕切板１３は、一体に形成されていてもよい。
【００８０】
また、上記の説明では、収納容器として、住宅で使用されるランドリーバスケット１００を例に挙げたが、これは一例に過ぎない。本実施の形態は、脱臭対象となる収納物を収納する種々の収納容器に適用することができる。
【００８１】
また、上記の説明では、フィルター５２として、オゾンガスを分解する触媒フィルターを例に挙げたが、これは一例に過ぎない。フィルター５２としては、例えば、触媒フィルターと脱臭除菌フィルターとを併用してもよい。脱臭除菌フィルターは、銀、白金などの貴金属と、酸化チタン、酸化鉄などの金属酸化物と、脱臭及び除菌用の酵素とを、コア材となるハニカム構造体の表面にコーティングすることにより形成される。触媒フィルターと脱臭除菌フィルターとを併用する場合、脱臭除菌フィルターのハニカム構造体のメッシュ粗さは、触媒フィルターのメッシュ粗さよりも粗いことが望ましい。これにより、フィルター５２の圧力損失の上昇を抑えることができる。脱臭除菌フィルターは、収納空間２３内の衣類から飛散して空気と共に送風部５０に吸い込まれた芳香族化合物などの臭気物質を吸着除去する。一方、収納空間２３に空気と共に供給される放電生成物は、主に、衣類に付着したまま飛散しにくい臭気物質を分解除去する。このため、脱臭除菌フィルターを用いることにより、衣類から飛散しやすい臭気物質と、衣類から飛散しにくい臭気物質と、の双方を効果的に除去することができる。
【００８２】
また、上記の説明では、フィルター５２と送風機５１とが一体化した構成を例に挙げたが、これは一例に過ぎない。フィルター５２は、送風機５１とは独立して戻りダクト６２に設けられていてもよい。この場合、フィルター５２は、戻りダクト６２の風路断面の全体に設けられるとともに、戻りダクト６２に対して着脱自在に取り付けられる。
【００８３】
また、上記の説明では、脱臭部４０が備える脱臭装置として放電機構を例に挙げたが、これは一例に過ぎない。脱臭部４０が備える脱臭装置としては、活性炭などの吸着部材、又は帯電微粒子ミストの噴霧装置を用いることもできる。
【００８４】
以上説明したように、本実施の形態に係るランドリーバスケット１００は、収納部２０、送風機５１、脱臭部４０及び送りダクト６１を備えている。収納部２０は、筐体１０に格納され、衣類が収納されるものである。送風機５１は、収納部２０を経由して筐体１０内に形成される循環風路６０で空気を循環させるものである。脱臭部４０は、循環風路６０で送風機５１の下流側かつ収納部２０の上流側に配置され、衣類の脱臭を行う脱臭成分を生成するものである。送りダクト６１は、循環風路６０で脱臭部４０の下流側かつ収納部２０の上流側に設けられ、少なくとも脱臭部４０に接続されている。ここで、送りダクト６１は、ダクトの一例である。衣類は、収納物の一例である。
【００８５】
この構成によれば、循環風路６０に沿った収納部２０と脱臭部４０との距離を、送りダクト６１の分だけ長く確保することができる。このため、送風機５１の停止中において、収納部２０内のほこりが脱臭部４０に侵入する可能性を低減することができる。したがって、本実施の形態によれば、脱臭部４０での脱臭成分の生成を長期間継続できるため、脱臭効果を長期間維持することができる。
【００８６】
また、本実施の形態に係るランドリーバスケット１００において、収納部２０には、衣類が収納される収納空間２３に空気を流入させる通風流入口２２ａと、収納空間２３から空気を流出させる通風流出口２１ａと、が形成されている。この構成によれば、収納部２０に空気と共に供給される脱臭成分を、収納空間２３に収納される衣類に供給することができる。
【００８７】
また、本実施の形態に係るランドリーバスケット１００において、収納部２０は、筐体１０に着脱自在に格納されている。この構成によれば、ユーザは、衣類が収納された収納部２０を筐体１０から取り外して持ち運ぶことができる。このため、この構成によれば、ランドリーバスケット１００の利便性を向上させることができる。
【００８８】
また、本実施の形態に係るランドリーバスケット１００において、脱臭部４０は、脱臭成分として放電生成物を生成するように構成されている。この構成によれば、放電生成物を用いた脱臭が可能となるため、ランドリーバスケット１００の脱臭性能を向上させることができる。
【００８９】
また、本実施の形態に係るランドリーバスケット１００において、収納部２０の空気は、戻りダクト６２及び送風部５０を通って脱臭部４０に流入する。脱臭部４０は、放電が起こるように構成されている。この構成によれば、衣類から揮発した臭気物質を放電場及び放電生成物の作用により無臭化できるため、ランドリーバスケット１００の脱臭性能を向上させることができる。
【００９０】
また、本実施の形態に係るランドリーバスケット１００は、循環風路６０で収納部２０の下流側かつ送風機５１の上流側に配置されたフィルター５２をさらに備えている。この構成によれば、送風機５１の運転中には、収納部２０内のほこりが空気と共に収納部２０から排出されたとしても、当該ほこりはフィルター５２により捕捉される。このため、送風機５１の運転中においても、収納部２０内のほこりが脱臭部４０に侵入するのを防ぐことができる。
【００９１】
また、本実施の形態に係るランドリーバスケット１００において、送風機５１、フィルター５２及び脱臭部４０は、一体に形成されているとともに、筐体１０に着脱自在に格納されている。この構成によれば、フィルター５２に堆積したほこりの除去と、送風機５１及び脱臭部４０に付着した微小なほこりの除去と、を一度に行うことが可能となる。したがって、ランドリーバスケット１００の送風部５０及び脱臭部４０のメンテナンスを容易に行うことができる。
【００９２】
また、本実施の形態に係るランドリーバスケット１００において、フィルター５２は、空気に含まれるほこりを除去するとともにオゾンガスを分解するように構成されている。この構成によれば、収納部２０でのオゾンガスの蓄積を抑制できるため、衣類が傷んでしまうのを防ぐことができる。
【００９３】
実施の形態２．
本発明の実施の形態２に係る収納容器について説明する。図６は、本実施の形態に係るランドリーバスケット１００の構成を示す断面図である。本実施の形態に係るランドリーバスケット１００は、少なくとも湿度調節部７０が設けられている点で実施の形態１と異なっている。実施の形態１と同様の構成については説明を省略する。
【００９４】
図６に示すように、脱臭空間１５内には、空気の湿度を調節する湿度調節部７０が設けられている。湿度調節部７０は、循環風路６０における空気の流れで、収納部２０の下流側かつ送風部５０の上流側に配置されている。湿度調節部７０は、収納空間２３内の衣類の脱臭効果、除菌効果又は汚れ分解効果を向上させるために設けられている。湿度調節部７０は、送風部５０の下流側で脱臭部４０の上流側に設けられていてもよい。
【００９５】
図７は、本実施の形態に係るランドリーバスケット１００の湿度調節部７０の構成の一例を示す図である。図７に示すように、湿度調節部７０は、湿度調節部７０内の風路に配置される冷却部７１と、冷却部７１の鉛直下方に配置されるドレンパン７２と、を有している。また、湿度調節部７０は、不図示の筐体を有している。この筐体は、冷却部７１及びドレンパン７２を収容するとともに、湿度調節部７０内の風路を画定するように構成されている。
【００９６】
冷却部７１は、並列して配置された複数のペルチェ素子７３と、複数のペルチェ素子７３を挟んで互いに対向する一対のペルチェ回路板７４ａ、７４ｂと、を有している。一対のペルチェ回路板７４ａ、７４ｂのそれぞれは、絶縁板の片面に回路が形成された構成を有している。一対のペルチェ回路板７４ａ、７４ｂのそれぞれの絶縁板は、熱伝導率の高い材料、例えばアルミナ又は窒化アルミニウムにより形成されている。一対のペルチェ回路板７４ａ、７４ｂは、回路の形成された面同士が向き合うように配置されている。各ペルチェ素子７３には、ＢｉＴｅ（ビスマス・テルル）系のペルチェ素子が用いられている。互いに隣接する２つのペルチェ素子７３は、一対のペルチェ回路板７４ａ、７４ｂのうちの一方に形成された回路を介して電気的に接続される。複数のペルチェ素子７３に通電されると、一方のペルチェ回路板７４ａから他方のペルチェ回路板７４ｂに熱が移動する。冷却部７１は、一方のペルチェ回路板７４ａが湿度調節部７０内の風路に面するように配置される。これにより、湿度調節部７０内の風路を流れる空気は、ペルチェ回路板７４ａからの吸熱によって冷却される。他方のペルチェ回路板７４ｂに移動した熱は、不図示の放熱機構を介してランドリーバスケット１００の外部に放熱される。このように、冷却部７１は、例えばペルチェ素子を用いて冷却動作を行う。各ペルチェ素子７３への通電に用いられるリード線は、例えば、ランドリーバスケット１００の内部に設けられた電力線と接続されている。冷却部７１は、商用電源又はバッテリから供給される電力によって動作する。
【００９７】
湿度調節部７０内の風路を流れる空気が冷却部７１によって冷却されると、空気中の水分が凝縮し、ペルチェ回路板７４ａの表面に結露水が生じる。この結露水は、下方に配置されているドレンパン７２に貯留される。
【００９８】
図６に戻り、湿度調節部７０は、送風部５０及び脱臭部４０と一体に形成され、送風部５０及び脱臭部４０と共に、脱臭空間１５に着脱自在に格納されている。例えば、湿度調節部７０、送風部５０及び脱臭部４０は、スライド方式又はクランプワンタッチ方式により、筐体１０に対して着脱自在に取り付けられる。これにより、送風部５０及び脱臭部４０と共に湿度調節部７０を筐体１０から容易に取り外すことができるため、送風部５０及び脱臭部４０のメンテナンスを行う際に、ドレンパン７２に貯留された結露水を排水することができる。したがって、送風部５０及び脱臭部４０のメンテナンスと、湿度調節部７０の結露水の排水と、を一度に行うことが可能となる。
【００９９】
次に、湿度調節部７０を備えることにより脱臭効果及び除菌効果が向上する理由について説明する。収納空間２３に供給される空気が冷却部７１によって冷却されると、収納空間２３内の空気の温度が低下する。これにより、収納空間２３内の空気の飽和水蒸気量が減少する。その結果、収納空間２３内の相対湿度が上昇する。例えば冷却部７１は、収納空間２３内の相対湿度が目標値に近づくように、脱臭制御部により制御される。衣類が収納された収納空間２３に空気が供給されると、収納空間２３に流入する空気によって衣類中の水分の気化が促進されるため、収納空間２３内の絶対湿度が増加する。この状態でさらに収納空間２３内の空気の温度が低下するため、収納空間２３内の相対湿度は上昇しやすくなる。
【０１００】
収納空間２３内の相対湿度と同様に、脱臭部４０内の相対湿度も上昇する。脱臭部４０のうち放電が行われる放電空間において、相対湿度が高くなると、空気中の水分子数が相対的に多くなる。このため、放電生成物として生成される、ＯＨラジカルを含む水イオンの濃度が増加する。これにより、放電生成物による酸化力が高くなる。その結果、常温で脱臭及び除菌を行う場合と比較して、放電生成物による脱臭効果及び除菌効果が向上する。
【０１０１】
また、相対湿度が高くなると、放電生成物による酸化力が高くなることから、常温で汚れを分解する場合よりも汚れ分解効果が向上する。さらに、相対湿度が高くなると、衣類に付着した汚れから水分が蒸発するのが抑制される。したがって、衣類に付着した汚れが固化しにくくなるため、後に衣類が洗濯機で洗濯される際に汚れが落ちやすくなる。
【０１０２】
また、収納空間２３内の温度が低くなることにより、収納空間２３内での微生物の増殖が抑制されるため、除菌効果を向上させることができる。
【０１０３】
図８は、本実施の形態に係るランドリーバスケット１００の脱臭制御部で実行される脱臭処理の流れの一例を示すフローチャートである。図８に示すように、脱臭制御部は、ステップＳ１で脱臭開始指示を受け付けると、ステップＳ２の処理に移行する。
【０１０４】
ステップＳ２では、脱臭制御部は、送風機５１に電力を供給し、送風機５１の運転を開始する。また、ステップＳ２では、脱臭制御部は、湿度調節部７０の冷却部７１に電力を供給し、湿度調節部７０による空気の冷却を開始する。これにより、筐体１０内の空気は、送風部５０、脱臭部４０、収納部２０、湿度調節部７０及び送風部５０をこの順に循環するとともに、湿度調節部７０で冷却される。このため、脱臭部４０の放電空間内の相対湿度及び収納空間２３内の相対湿度がそれぞれ上昇する。
【０１０５】
次に、ステップＳ３では、脱臭制御部は、相対湿度が目標相対湿度以上であるか否かを判定する。通常、脱臭部４０の放電空間内の相対湿度が６０％以上になると、収納空間２３内での脱臭効果が高まる。また、放電空間内の相対湿度が８０％以上になると、収納空間２３内での脱臭効果がさらに高まる。このため、目標相対湿度は６０％、より望ましくは８０％に予め設定されている。相対湿度の情報は、収納空間２３内に設けられた不図示の湿度センサから取得される。脱臭部４０の放電空間内に湿度センサが設けられている場合には、相対湿度の情報は、放電空間内の湿度センサから取得されるようにしてもよい。脱臭制御部は、相対湿度が目標相対湿度以上であると判定した場合、ステップＳ４の処理に移行する。一方、脱臭制御部は、相対湿度が目標相対湿度未満であると判定した場合、相対湿度が目標相対湿度に達するまでステップＳ３の判定を繰り返す。
【０１０６】
ステップＳ４では、脱臭制御部は、脱臭部４０の放電機構に電力を供給し、放電を開始させる。これにより、脱臭部４０では、放電生成物が生成される。送風機５１の運転は継続されているため、脱臭部４０で生成された放電生成物は、収納空間２３に空気と共に供給される。放電生成物の生成は、相対湿度が目標相対湿度以上となった後に開始される。このため、収納空間２３内での脱臭効果を向上させることができる。
【０１０７】
次に、ステップＳ５では、脱臭制御部は、脱臭終了指示を受けたか否かを判定する。脱臭制御部は、脱臭終了指示を受けたと判定した場合、ステップＳ６の処理に移行する。一方、脱臭制御部は、脱臭終了指示を受けていないと判定した場合、脱臭終了指示を受けるまでステップＳ５の判定を繰り返す。
【０１０８】
ステップＳ６では、脱臭制御部は、放電機構での放電を停止させる。また、ステップＳ６では、脱臭制御部は、湿度調節部７０による空気の冷却を停止させる。さらに、ステップＳ６では、脱臭制御部は、送風機５１の駆動を停止させる。これにより、ランドリーバスケット１００での脱臭動作が終了する。脱臭制御部では、以上のような流れにより脱臭処理が実行される。
【０１０９】
以上のように、本実施の形態によれば、実施の形態１と同様の効果が得られることに加え、ランドリーバスケット１００での脱臭効果をより向上させることができる。
【０１１０】
実施の形態３．
本発明の実施の形態３に係る収納容器について説明する。図９は、本実施の形態に係るランドリーバスケット１００の構成を示す断面図である。本実施の形態に係るランドリーバスケット１００は、少なくとも、収納部２０の通風流出口２４ａが底面部２４に設けられており、収納物を攪拌する攪拌部８０が収納空間２３に設けられている点で、実施の形態１と異なっている。実施の形態１と同様の構成については説明を省略する。
【０１１１】
図９に示すように、底面部２４の中心部には、収納空間２３から空気を流出させる通風流出口２４ａが形成されている。収納部２０が格納空間１４に格納された状態では、通風流出口２４ａは台座板開口部１６ａと接続される。これにより、収納空間２３の空気は、通風流出口２４ａ及び台座板開口部１６ａを介して戻りダクト６２に流出し、送風部５０に吸い込まれる。
【０１１２】
攪拌部８０は、軸部８１、攪拌羽根８２及びモータ８３を有している。軸部８１は、収納部２０内で上下方向に延伸した棒状の部材である。軸部８１の下端部は、不図示の軸受を介して底面部２４に回転自在に支持されている。軸部８１の上端部は、モータ８３の出力軸に着脱自在に接続されている。攪拌羽根８２は、軸部８１に固定された板状の部材である。攪拌羽根８２は、軸部８１から、軸部８１を中心とする径方向に沿って延びている。攪拌羽根８２は、例えば樹脂により形成されている。攪拌羽根８２は、少なくとも１つ、望ましくは２つ以上設けられている。２つ以上の攪拌羽根８２が設けられる場合、攪拌羽根８２は、軸部８１を中心とする周方向で等間隔となるように設けられる。攪拌羽根８２は、軸部８１と一体成形されていてもよいし、軸部８１とは別部材であってもよい。軸部８１と沿う方向での攪拌羽根８２の長さ寸法は、収納空間２３の高さ寸法に応じて適宜設定される。攪拌羽根８２の厚さ寸法、及び攪拌羽根８２の径方向での長さ寸法は、収納空間２３内に衣類が収納される際に邪魔にならないように適宜設定される。モータ８３は、蓋部１２の下面側に固定されている。蓋部１２が閉められる際には、モータ８３の出力軸と軸部８１の上端部とが接続される。蓋部１２が開けられる際には、モータ８３の出力軸と軸部８１の上端部とが分離される。
【０１１３】
例えば、ユーザは、ランドリーバスケット１００の電源をオンにして脱臭開始指示を入力する際、蓋部１２又は筐体本体部１１に設けられた「攪拌」ボタンを押すことにより、攪拌指示を入力する。ランドリーバスケット１００の制御部は、攪拌指示を受け付けると、モータ８３を駆動させる。これにより、軸部８１を中心として攪拌羽根８２が回転し、攪拌羽根８２によって収納空間２３内の衣類が攪拌される。
【０１１４】
このように、ランドリーバスケット１００は、収納空間２３内の収納物を攪拌する攪拌部８０を有している。脱臭を行う際に攪拌部８０を動作させることにより、衣類と放電生成物との接触効率を高めることができるため、脱臭効果を高めることができる。
【０１１５】
上記の説明では、攪拌部８０のモータ８３が蓋部１２に設置されるものとしたが、これは一例に過ぎない。例えば、収納部２０の壁面には、攪拌部８０として、モータで駆動するプロペラが設けられるようにしてもよい。また、収納部の別の場所に攪拌部８０が設けられるようにしてもよい。
【０１１６】
以上のように、本実施の形態によれば、実施の形態１と同様の効果が得られることに加え、ランドリーバスケット１００での脱臭効果をより向上させることができる。
【０１１７】
実施の形態４．
本発明の実施の形態４に係る収納容器について説明する。図１０は、本実施の形態に係るランドリーバスケット１００の構成を示す断面図である。本実施の形態に係るランドリーバスケット１００は、少なくとも、排気ダクト６４と風路切替部９０とが設けられている点で、実施の形態１と異なっている。実施の形態１と同様の構成については説明を省略する。
【０１１８】
図１０に示すように、脱臭空間１５には、排気ダクト６４が設けられている。排気ダクト６４は、送風部５０の下流側かつ脱臭部４０の上流側で、送りダクト６１から分岐している。すなわち、排気ダクト６４内に形成される排気風路６５は、送風部５０の下流側かつ脱臭部４０の上流側で循環風路６０から分岐している。排気風路６５の下流端は、ランドリーバスケット１００の外部の空間とつながっている。
【０１１９】
送りダクト６１と排気ダクト６４との分岐部には、風路切替部９０が設けられている。風路切替部９０は、送りダクト６１側の入口を開閉する給気ダンパー９１と、排気ダクト６４側の入口を開閉する排気ダンパー９２と、を有している。風路切替部９０の給気ダンパー９１及び排気ダンパー９２は、例えば脱臭制御部により制御される。
【０１２０】
給気ダンパー９１は、ダンパー羽根９１ａと、ダンパー羽根９１ａの一端に設けられた軸部９１ｂと、軸部９１ｂを回転駆動する不図示のモータと、を有している。軸部９１ｂは、送りダクト６１に回転自在に支持されている。ダンパー羽根９１ａは、送りダクト６１の風路断面と同様の平面形状を有する板状の部材である。ダンパー羽根９１ａが閉じられると、送りダクト６１が閉塞される。ダンパー羽根９１ａは、例えば樹脂により形成されている。ダンパー羽根９１ａは、１つの軸部９１ｂに対して１つ設けられている。ダンパー羽根９１ａは、軸部９１ｂと一体成形されていてもよいし、軸部９１ｂとは別部材であってもよい。
【０１２１】
排気ダンパー９２は、給気ダンパー９１と同様に、ダンパー羽根９２ａと、ダンパー羽根９２ａの一端に設けられた軸部９２ｂと、軸部９２ｂを回転駆動する不図示のモータと、を有している。軸部９２ｂは、排気ダクト６４に回転自在に支持されるとともに、モータの出力軸に接続されている。ダンパー羽根９２ａは、排気ダクト６４の風路断面と同様の平面形状を有する板状の部材である。ダンパー羽根９２ａが閉じられると、排気ダクト６４が閉塞される。ダンパー羽根９２ａは、例えば樹脂により形成されている。ダンパー羽根９２ａは、１つの軸部９２ｂに対して１つ設けられている。ダンパー羽根９２ａは、軸部９２ｂと一体成形されていてもよいし、軸部９２ｂとは別部材であってもよい。
【０１２２】
給気ダンパー９１が開となり排気ダンパー９２が閉となる状態では、送風部５０から吹き出される空気は、脱臭部４０及び送りダクト６１を通って収納空間２３に供給される。収納空間２３の空気は、戻りダクト６２を通って送風部５０に吸い込まれる。すなわち、筐体１０内の空気は、送風部５０、脱臭部４０、収納部２０及び送風部５０をこの順に経由して、循環風路６０を循環する。一方、給気ダンパー９１が閉となり排気ダンパー９２が開となる状態では、収納空間２３の空気は、戻りダクト６２を通って送風部５０に吸い込まれ、排気ダクト６４を通ってランドリーバスケット１００の外部に排出される。なお、収納空間２３には、例えば蓋部１２に形成された不図示の通気孔を介して、ランドリーバスケット１００の外部の空気が流入するようになっていてもよい。
【０１２３】
通常、ランドリーバスケット１００の脱臭動作が開始されると、送風機５１の動作及び脱臭部４０での放電が開始される。このとき、まず、揮発しやすい臭気物質が収納空間２３内の衣類から飛散する。衣類から飛散した臭気物質は、空気と共に、戻りダクト６２及び送風部５０を通って脱臭部４０に流入する。脱臭部４０で生成された放電生成物は、脱臭部４０に流入した臭気物質と反応し、当該臭気物質を分解して無臭化する。このため、脱臭動作の開始当初は、脱臭部４０で生成される放電生成物のほとんどは、脱臭部４０内で消失し、収納空間２３にまで供給されない。その後、収納空間２３から脱臭部４０に流入する臭気物質が減少すると、脱臭部４０で生成される放電生成物が空気と共に収納空間２３に供給され始める。放電生成物が収納空間２３に供給され始めると、収納空間２３内の衣類に付着している臭気物質が放電生成物により分解され始める。
【０１２４】
これに対し、本実施の形態では、ランドリーバスケット１００の脱臭動作が開始される際、送風機５１の動作が開始されるとともに、給気ダンパー９１が閉となり排気ダンパー９２が開となるように風路切替部９０が制御される。これにより、揮発しやすい臭気物質は、収納空間２３内の衣類から飛散し、空気と共に排気ダクト６４を通ってランドリーバスケット１００の外部に排出される。揮発しやすい臭気物質が十分に排出された後、給気ダンパー９１が開となり排気ダンパー９２が閉となるように風路切替部９０が制御されるとともに、脱臭部４０での放電が開始される。このとき、揮発しやすい臭気物質は既にランドリーバスケット１００の外部に排出されているため、脱臭部４０に流入する臭気物質は少ない。このため、脱臭部４０で生成される放電生成物は、放電開始直後から、空気と共に収納空間２３に供給される。これにより、揮発せずに収納空間２３内の衣類に残存する臭気物質は、放電生成物により分解される。揮発しやすい臭気物質が既にランドリーバスケット１００の外部に排出されているため、臭気物質と放電生成物との接触効率が高まり、臭気物質は放電生成物により効率良く分解される。
【０１２５】
本実施の形態では、揮発しやすい臭気物質がランドリーバスケット１００の外部に排出された後に、脱臭部４０での放電が開始される。揮発しやすい臭気物質は、ランドリーバスケット１００の外部に排出されることにより、先に除去される。その後、揮発せずに衣類に残留する臭気物質は、放電生成物で分解されることにより除去される。これにより、臭気物質を効率的に除去することができるため、脱臭に要する時間を短縮することができる。また、揮発しやすい臭気物質は放電生成物を用いずに除去されるため、脱臭部４０での放電に要する消費電力を低減できる。
【０１２６】
図１１は、本実施の形態に係るランドリーバスケット１００の脱臭制御部で実行される急速脱臭処理の流れの一例を示すフローチャートである。例えば、ユーザは、ランドリーバスケット１００の電源をオンにして脱臭開始指示を入力する際、蓋部１２又は筐体本体部１１に設けられた「急速脱臭」ボタンを押すことにより、急速脱臭指示を入力する。脱臭制御部は、急速脱臭指示を受け付けると、図１１に示す急速脱臭処理を実行する。
【０１２７】
図１１のステップＳ１１では、脱臭制御部は、給気ダンパー９１が閉となり排気ダンパー９２が開となるように風路切替部９０を制御するとともに、送風機５１の運転を開始する。これにより、収納空間２３の空気をランドリーバスケット１００の外部に排出する排気運転が開始される。排気運転が開始されると、揮発しやすい臭気物質は、収納空間２３内の衣類から飛散し、空気と共に排気ダクト６４を通ってランドリーバスケット１００の外部に排出される。
【０１２８】
次に、ステップＳ１２では、脱臭制御部は、排気運転の終了条件を満たすか否かを判定する。脱臭運転は、例えば、排気運転が開始されてからの経過時間が、予め設定された閾値時間を超えた場合、排気運転の終了条件を満たすと判定する。脱臭制御部は、排気運転の終了条件を満たすと判定した場合には、ステップＳ１３の処理に移行する。一方、脱臭制御部は、排気運転の終了条件を満たさないと判定した場合には、排気運転の終了条件を満たすまでステップＳ１２の判定を繰り返す。
【０１２９】
ステップＳ１３では、脱臭制御部は、給気ダンパー９１が開となり排気ダンパー９２が閉となるように風路切替部９０を制御する。これにより、排気運転が終了し、筐体１０内の空気は、送風部５０、脱臭部４０、収納部２０及び送風部５０をこの順に循環する。
【０１３０】
次に、ステップＳ１４では、脱臭制御部は、脱臭部４０の放電機構に電力を供給し、放電を開始させる。これにより、脱臭部４０では放電生成物が生成される。揮発しやすい臭気物質は既にランドリーバスケット１００の外部に排出されているため、脱臭部４０に流入する臭気物質は少ない。このため、脱臭部４０で生成される放電生成物は、空気と共に収納空間２３に供給される。その後、脱臭制御部は、急速脱臭処理を終了し、例えば通常の脱臭処理に移行する。
【０１３１】
以上のように、本実施の形態によれば、実施の形態１と同様の効果が得られることに加え、脱臭に要する時間を短縮することができる。
【０１３２】
本実施の形態では、排気ダクト６４が、送風部５０の下流側かつ脱臭部４０の上流側で送りダクト６１から分岐しているが、これは一例に過ぎない。例えば、排気ダクト６４は、脱臭部４０の下流側かつ収納部２０の上流側で送りダクト６１から分岐していてもよい。
【０１３３】
また、本実施の形態では、排気運転が開始されてからの経過時間に基づいて、排気運転の終了条件を満たすか否かが判定されているが、これは一例に過ぎない。例えば、臭気を検出する臭気センサが設けられている場合、臭気センサから取得される臭気レベルの情報に基づき、排気運転の終了条件を満たすか否かが判定されるようにしてもよい。臭気センサは、排気運転中に臭気を検出できるように、収納部２０、戻りダクト６２、送風部５０、風路切替部９０又は排気ダクト６４に設けられる。
【０１３４】
なお、本発明はその発明の範囲内において、実施の形態の任意の構成要素の変形、又は実施の形態の任意の構成要素の省略が可能である。また、上記の各実施の形態１〜４は、互いに組み合わせて実施することが可能である。
【０１３５】
本発明に係る収納容器は、内部に収納している収納物のにおいを除去することが可能となるため、例えば、洗濯前の衣類を収納するランドリーバスケット等の収納容器に適用することができる。
【符号の説明】
【０１３６】
１０  筐体、１１  筐体本体部、１１ａ  上面開口部、１２  蓋部、１３  仕切板、１３ａ  第１仕切板開口部、１３ｂ  第２仕切板開口部、１４  格納空間、１５  脱臭空間、１６  台座板、１６ａ  台座板開口部、１７  外周空間、１８  内周空間、２０  収納部、２１  内周壁、２１ａ  通風流出口、２２  外周壁、２２ａ  通風流入口、２３  収納空間、２４  底面部、２４ａ  通風流出口、２５  上面開口部、４０  脱臭部、５０  送風部、５１  送風機、５２  フィルター、６０  循環風路、６１  送りダクト、６２  戻りダクト、６３  ドレンパン部、６４  排気ダクト、６５  排気風路、７０  湿度調節部、７１  冷却部、７２  ドレンパン、７３  ペルチェ素子、７４ａ、７４ｂ  ペルチェ回路板、８０  攪拌部、８１  軸部、８２  攪拌羽根、８３  モータ、９０  風路切替部、９１  給気ダンパー、９１ａ  ダンパー羽根、９１ｂ  軸部、９２  排気ダンパー、９２ａ  ダンパー羽根、９２ｂ  軸部、１００  ランドリーバスケット。
【図１】
2020261414.tif 000003
【図２】
2020261414.tif 000004
【図３】
2020261414.tif 000005
【図４】
2020261414.tif 000006
【図５】
2020261414.tif 000007
【図６】
2020261414.tif 000008
【図７】
2020261414.tif 000009
【図８】
2020261414.tif 000010
【図９】
2020261414.tif 000011
【図１０】
2020261414.tif 000012
【図１１】
2020261414.tif 000013
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
筐体に格納され、収納物が収納される収納部と、
前記収納部を経由して前記筐体内に形成される循環風路で空気を循環させる送風機と、
前記循環風路で前記送風機の下流側かつ前記収納部の上流側に配置され、前記収納物の脱臭を行う脱臭成分を生成する脱臭部と、
前記循環風路で前記脱臭部の下流側かつ前記収納部の上流側に設けられ、少なくとも前記脱臭部に接続されたダクトと、
を備える収納容器。
【請求項２】
前記収納部には、前記収納物が収納される収納空間に前記空気を流入させる通風流入口と、前記収納空間に収納されている前記収納物を通過した前記空気を流出させる通風流出口と、が形成されている請求項１に記載の収納容器。
【請求項３】
前記収納部は、前記筐体に着脱自在に格納されている請求項１又は請求項２に記載の収納容器。
【請求項４】
前記脱臭部は、前記脱臭成分として放電生成物を生成するように構成されている請求項１〜請求項３のいずれか一項に記載の収納容器。
【請求項５】
前記循環風路で前記収納部の下流側かつ前記送風機の上流側に配置されたフィルターをさらに備えている請求項１〜請求項４のいずれか一項に記載の収納容器。
【請求項６】
前記送風機、前記フィルター及び前記脱臭部は、一体に形成されているとともに、前記筐体に着脱自在に格納されている請求項５に記載の収納容器。
【請求項７】
前記フィルターは、前記空気に含まれるほこりを除去するとともにオゾンガスを分解するように構成されている請求項５又は請求項６に記載の収納容器。
【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
衣類を収納する収納容器において、
筐体に格納され、前記衣類としての収納物が収納される収納部と、
前記収納部を経由して前記筐体内に形成される循環風路と、
前記循環風路で空気を循環させる送風機と、
前記循環風路で前記送風機の下流側かつ前記収納部の上流側に配置され、前記収納物の脱臭を行う脱臭成分を生成する脱臭部と、
前記循環風路で前記脱臭部及び前記収納部を接続する送りダクトと、
前記循環風路で前記収納部及び前記送風機を接続する戻りダクトと、
を備える収納容器。
【請求項２】
前記収納部には、前記収納物が収納される収納空間に前記空気を流入させる通風流入口と、前記収納空間に収納されている前記収納物を通過した前記空気を流出させる通風流出口と、が形成されている請求項１に記載の収納容器。
【請求項３】
前記収納部は、前記収納物が収納される収納空間に前記空気を流入させる通風流入口と、前記空気を流出させる通風流出口とを備え、
前記通風流入口が位置する前記収納部の面と前記通風流出口が位置する前記収納部の面とは異なる請求項１に記載の収納容器。
【請求項４】
前記収納部は、前記筐体に着脱自在に格納されている請求項１〜請求項３の何れか一項に記載の収納容器。
【請求項５】
前記脱臭部は、前記脱臭成分として放電生成物を生成するように構成されている請求項１〜請求項４のいずれか一項に記載の収納容器。
【請求項６】
前記循環風路で前記収納部の下流側かつ前記送風機の上流側に配置されたフィルターをさらに備えている請求項１〜請求項５のいずれか一項に記載の収納容器。
【請求項７】
前記送風機、前記フィルター及び前記脱臭部は、一体に形成されているとともに、前記筐体に着脱自在に格納されている請求項６に記載の収納容器。
【請求項８】
前記フィルターは、前記空気に含まれるほこりを除去するとともにオゾンガスを分解するように構成されている請求項６又は請求項７に記載の収納容器。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
衣類を収納する収納容器において、
筐体に格納され、前記衣類としての収納物が収納される収納部と、
前記収納部を経由して前記筐体内に形成される循環風路と、
前記循環風路で空気を循環させる送風機と、
前記循環風路で前記送風機の下流側かつ前記収納部の上流側に配置され、前記収納物の脱臭を行う脱臭成分を生成する脱臭部と、
前記循環風路で前記脱臭部及び前記収納部を接続する送りダクトと、
前記送りダクトとは別体であり、前記循環風路で前記収納部及び前記送風機を接続する戻りダクトと、
を備える収納容器。
【請求項２】
前記収納部には、前記収納物が収納される収納空間に前記空気を流入させる通風流入口と、前記収納空間に収納されている前記収納物を通過した前記空気を流出させる通風流出口と、が形成されている請求項１に記載の収納容器。
【請求項３】
前記収納部は、前記収納物が収納される収納空間に前記空気を流入させる通風流入口と、前記空気を流出させる通風流出口とを備え、
前記通風流入口が位置する前記収納部の面と前記通風流出口が位置する前記収納部の面とは異なる面を構成する請求項１に記載の収納容器。
【請求項４】
前記収納部は、前記筐体に着脱自在に格納されている請求項１〜請求項３の何れか一項に記載の収納容器。
【請求項５】
前記脱臭部は、前記脱臭成分として放電生成物を生成するように構成されている請求項１〜請求項４のいずれか一項に記載の収納容器。
【請求項６】
前記循環風路で前記収納部の下流側かつ前記送風機の上流側に配置されたフィルターをさらに備えている請求項１〜請求項５のいずれか一項に記載の収納容器。
【請求項７】
前記送風機、前記フィルター及び前記脱臭部は、一体に形成されているとともに、前記筐体に着脱自在に格納されている請求項６に記載の収納容器。
【請求項８】
前記フィルターは、前記空気に含まれるほこりを除去するとともにオゾンガスを分解するように構成されている請求項６又は請求項７に記載の収納容器。
【国際調査報告】
2020261414.tif 000014
2020261414.tif 000015
2020261414.tif 000016
2020261414.tif 000017